(57)【要約】【課題】カメラ装置を固定した場合に煩雑な操作を行うことなく、固定時に最適な撮像モードを設定することができるカメラ装置を提供する。【解決手段】カメラ装置の装置本体部１００に三脚２０が取り付けられたか否かを検出する検出部１２と、検出部１２により装置本体部１００に三脚が取り付けられたことを検出した場合に、予め設定された複数の撮影モードのうち三脚が取り付けられたときに最適な撮影モードを選択可能に設定し、選択指示に応じて撮像モードを決定するＣＰＵ１９とを設ける。【選択図】図１
2006053382.tif 000002
【特許請求の範囲】
【請求項１】
装置本体部が固定されたか否かを検出する検出手段と、
前記検出手段により前記装置本体部が固定されたことを検出した場合に、予め設定された複数の撮影モードのうち前記固定されたときに最適な撮影モードを選択可能に設定し、選択指示に応じて撮像モードを決定する制御手段と
を有するカメラ装置。
【請求項２】
前記検出手段は、装置本体部に三脚が取り付けられたか否かを検出し、
前記制御手段は、前記検出手段により前記装置本体部に三脚が取り付けられたことを検出した場合に、予め設定された複数の撮影モードのうち前記三脚が取り付けられたときに最適な撮影モードを選択可能に設定し、選択指示に応じて撮像モードを決定する
請求項１に記載のカメラ装置。
【請求項３】
前記制御手段は、前記検出手段により前記三脚が取り付けられたことを検出した場合に、予め設定した連写撮影モード、タイマー撮影モード、ブラケッティング撮影モード、リモコン撮影モードのうちいずれかの撮影モードを選択可能に設定する
請求項２に記載のカメラ装置。
【請求項４】
前記制御手段は、設定時間内に指示入力がないときは省電力制御を行い、前記検出手段により前記三脚が取り付けられたことを検出した場合には、当該設定時間を減少させる、または当該省電力制御を抑止する
請求項２に記載のカメラ装置。
【請求項５】
前記三脚の取り付けネジが螺合可能な螺合部と、
前記螺合部を回転駆動する回転駆動手段と、
を有する請求項２に記載のカメラ装置。
【請求項６】
前記検出手段は、前記螺合部に前記三脚の取り付けネジが螺合したか否かを検出し、
前記制御手段は、前記検出手段による検出結果に基づいて、前記回転駆動手段を駆動制御する
請求項５に記載のカメラ装置。
【請求項７】
前記制御手段は、前記検出手段が前記三脚が取り付けられたことを検出し、かつ回転撮影モードを示す信号が入力された場合に、前記回転駆動手段を駆動制御して撮影処理を行う
請求項２に記載のカメラ装置。
【請求項８】
前記制御手段は、撮像された画像情報に基づいて前記回転駆動手段を駆動制御して撮影処理を行う
請求項７に記載のカメラ装置。
【請求項９】
付加装置が前記カメラ装置本体部に取り付けられたか否かを検出する付加装置検出手段を有し、
前記制御手段は、前記付加装置検出手段および前記検出手段の検出結果に基づいて、前記付加装置が取り付けられたときに最適な撮影モードに設定する
請求項２に記載のカメラ装置。
【請求項１０】
装置本体部に三脚が取り付けられたか否かを検出する検出手段と、
前記検出手段により前記装置本体部に三脚が取り付けられたことを検出した場合に、予め設定された撮影モードに応じた撮影処理を行う制御手段と
を有するカメラ装置。
【発明の詳細な説明】
【技術分野】
【０００１】
本発明は、例えば装置本体部に三脚を取り付ける等により装置本体部を固定可能とするカメラ装置に関するものである。
【背景技術】
【０００２】
例えば、スチルカメラやビデオカメラには、装置本体部を固定するために、三脚を取り付けるための取付部が備えられている。
また、例えば夜景撮影時など入射される光の光量が少ない場合に、三脚が取り付けられ夜景撮影モードに設定して撮影処理を行うカメラ装置が知られている（例えば、特許文献１参照）。
【特許文献１】特開平５−５３１６８号公報
【発明の開示】
【発明が解決しようとする課題】
【０００３】
ところで、例えばカメラ装置に三脚を取り付ける等カメラ装置本体部を固定した場合に、煩雑な操作を行うことなく簡単な操作により、カメラ固定時に最適な撮影モード、例えば連写撮影モードやリモコン撮影モード等を設定して撮像処理を行いたいという要望がある。
【０００４】
本発明は、かかる事情に鑑みてなされたものであり、その目的は、カメラ装置を固定した場合に煩雑な操作を行うことなく、固定時に最適な撮像モードを設定することができるカメラ装置を提供することにある。
【課題を解決するための手段】
【０００５】
前記目的を達成するために、本発明の第１の観点のカメラ装置は、装置本体部が固定されたか否かを検出する検出手段と、前記検出手段により前記装置本体部が固定されたことを検出した場合に、予め設定された複数の撮影モードのうち前記固定されたときに最適な撮影モードを選択可能に設定し、選択指示に応じて撮像モードを決定する制御手段とを有する。
【０００６】
好適には、前記検出手段は、装置本体部に三脚が取り付けられたか否かを検出し、前記制御手段は、前記検出手段により前記装置本体部に三脚が取り付けられたことを検出した場合に、予め設定された複数の撮影モードのうち前記三脚が取り付けられたときに最適な撮影モードを選択可能に設定し、選択指示に応じて撮像モードを決定する。
【０００７】
本発明の第１の観点のカメラ装置によれば、制御手段は、検出手段により前記装置本体部が固定されたことを検出した場合に、予め設定された複数の撮影モードのうち固定されたときに最適な撮影モードを選択可能に設定し、選択指示に応じて撮像モードを決定する。
【０００８】
さらに、前記目的を達成するために、本発明の第２の観点のカメラ装置は、装置本体部に三脚が取り付けられたか否かを検出する検出手段と、前記検出手段により前記装置本体部に三脚が取り付けられたことを検出した場合に、予め設定された撮影モードに応じた撮影処理を行う制御手段とを有する。
【発明の効果】
【０００９】
本発明によれば、カメラ装置を固定した場合に煩雑な操作を行うことなく、カメラ固定時に最適な撮像モードを設定することができるカメラ装置を提供することができる。
【発明を実施するための最良の形態】
【００１０】
図面を参照しながら、本発明の実施形態を説明する。
〔第１実施形態〕
図１は、本発明の第１実施形態に係るカメラ装置の機能ブロック図である。図２は図１に示したカメラ装置の前方からの斜視図である。図３は図２に示したカメラ装置の後方からの斜視図である。
【００１１】
本実施形態に係るカメラ装置１は、カメラ装置本体部が固定されたか否かを検出して、カメラ装置本体部が固定されたことを検出した場合に、予め設定された複数の撮影モードのうち固定されたときに最適な撮影モードを選択可能に設定し、選択指示に応じて撮像モードを決定し、その決定した撮像モードに応じた撮像処理を行う。
詳細にはカメラ装置１は、例えば、カメラ装置本体部に三脚が取り付けられたか否かを検出し、カメラ装置本体部に三脚が取り付けられたことを検出した場合に、予め設定された複数の撮影モードのうち三脚が取り付けられたときに最適な撮影モードを選択可能に設定し、選択指示に応じて撮像モードを決定し、その決定した撮像モードに応じた撮像処理を行う。
【００１２】
カメラ装置１は、例えば図１に示すように、撮像部１１、検出部１２、電源回路１３、発光部（ストロボ）１４、表示部１５、入力部１６、記録部１７、メモリ１８、および制御回路（ＣＰＵ）１９を有する。
検出部１２は、本発明に係る検出手段の一例に相当する。ＣＰＵ１９は、本発明に係る制御手段の一例に相当する。
【００１３】
撮像部１１は、例えばＣＰＵ１９の制御により、被写体から入射される光を撮像して電気信号に変換してＣＰＵ１９に出力する。
撮像部１１は、例えば図２，図３に示すように、カメラ装置１の装置本体部１００の正面部に形成されている。
【００１４】
撮像部１１は、例えば図１に示すように、撮像レンズ１１１、アイリス１１２、ＣＣＤ（Charge Coupled Device）１１３、信号処理部１１４、レンズ駆動部１１５、アイリス駆動部１１６、測距部１１７、測光部１１８、および露出制御部１１９を有する。
【００１５】
撮像レンズ１１１は、例えば単数または複数の光学レンズにより構成され、被写体からの光を撮像素子（本実施形態ではＣＣＤ１１３）上に結像する。また、撮像レンズ１１１は、レンズ駆動部１１５の制御によりレンズ位置が制御される。
【００１６】
アイリス１１２は、例えばアイリス駆動部１１６の制御により開口径を制御して、撮像レンズ１１１を介した光のＣＣＤ１１３への光量を制御する。
【００１７】
ＣＣＤ１１３は、例えば受光した光の強度を電気信号に変換する撮像素子であり、その電気信号Ｓ１１３を信号処理部１１４に出力する。本実施形態では撮像素子としてＣＣＤを用いたが、ＣＭＯＳ（Complementary Metal Oxide Semiconductor）イメージセンサ等の撮像素子を用いてもよい。
【００１８】
信号処理部１１４は、ＣＣＤ１１３から出力された信号Ｓ１１３に信号処理を施してＣＰＵ１９に出力する。
信号処理部１１４は、例えば相関２重サンプリング（ＣＤＳ：Correlated Double Sampling）回路、自動利得制御回路（ＡＧＣ：Automatic Gain Controller）、Ａ／Ｄ（アナログ／デジタル変換部）回路、および映像信号処理回路等により構成されている。
【００１９】
ＣＤＳ回路は、ＣＣＤ１１３からの信号Ｓ１１３のノイズを除去する。ＡＧＣ回路はその信号Ｓ１１３のレベルを設定値まで増幅する。Ａ／Ｄ回路は、そのアナログ信号としての信号Ｓ１１３をデジタル信号に変換する。映像信号処理回路は、そのデジタル信号にホワイトバランス処理等の映像信号処理を施して、ＣＰＵ１９に出力する。
【００２０】
レンズ駆動部１１５は、例えばＣＰＵ１９等の制御により、撮像レンズ１１１のレンズ位置を制御する。レンズ駆動部１１５は、例えば駆動モータやレンズ駆動機構等により構成されている。
【００２１】
アイリス駆動部１１６は、例えばＣＰＵ１９からの制御により、アイリス１１２の開口径を制御する。
【００２２】
測距部１１７は、例えば被写体との距離を測定する。測距部１１７は、例えば赤外線発光素子や、赤外線発光素子から出射された赤外線が被写体により反射し、その被写体からの赤外線を受光する受光素子等により構成され、受光素子による受光の結果に応じて被写体距離に応じた測距信号をＣＰＵ１９に出力する。
ＣＰＵ１９は、測距信号に応じて撮像レンズ１１１のレンズ位置を演算して、演算結果を基にレンズ駆動部１１５を駆動して、撮像レンズ１１１をピントが合う位置に移動させる。
【００２３】
測光部１１８は、例えばフォトダイオード等の受光素子により構成され、外光の強度を測定し、測定結果を示す信号をＣＰＵ１９に出力する。
【００２４】
露出制御部１１９は、例えばＣＰＵ１９の制御により露光制御を行う。露出制御部１１９は、例えば露出設定ボタンからの露出の度合いを示す信号を出力し、ＣＰＵ１９は、その信号を基にアイリス駆動部１１６に制御信号を出力して、アイリス１１２の開口径を制御することにより露光制御を行う。
【００２５】
検出部１２は、カメラ装置本体部が固定されたか否かを検出する。本実施形態では検出部１２は、例えばカメラ装置本体部に三脚が取り付けられたか否かにより、カメラ装置本体部が固定されたか否かを判別し、その判別の結果を示す信号をＣＰＵ１９に出力する。
【００２６】
本実施形態に係るカメラ装置１は、例えば図２に示すように、カメラ装置の本体部１００の底面部に、三脚２０を取り付けるための取付部、詳細には三脚の取り付けネジが螺合するネジ穴（螺合部）１２０が形成されている。
【００２７】
図４は、図１に示したカメラ装置の検出部の第１具体例を説明するための断面図である。図５は、図４に示した検出部の動作を説明するための図である。
【００２８】
検出部１２は、例えば図４に示すように、三脚検出スイッチ１２１、および検出回路１２２を有する。
例えば図４に示すように、カメラ装置１の装置本体部１００の底面に設けられたネジ穴１２０には、ネジ穴１２０の奥に凸形状の可動部１２１ａと、ばね性を有する一対の接片１２１ｂ，１２１ｃが備えられている。接片１２１ｂ，１２１ｃの一端部は、検出回路１２２に接続されている。接片１２１ｂ，１２１ｃは、三脚検出スイッチ１２１の一例である。
【００２９】
例えば、三脚２０が取り付けられていない状態では、図４に示すように接片１２１ｂ，１２１ｃとが非導通状態となっている。
カメラ装置１の装置本体部１００を固定するために、装置本体部１００に三脚２０を取り付ける際に、例えば図５に示すように、三脚２０の取り付け用ネジ（三脚ネジともいう）２１が装置本体部１００のネジ穴１２０に螺合されると、可動部１２１ａは接片１２１ｂの付勢に抗して、三脚ネジ２１により押し上げられ、接片１２１ｂ，１２１ｃを短絡させる（導通状態）。
【００３０】
検出回路１２２は、接片１２１ｂ，１２１ｃの導通状態および非導通状態により、三脚２０が取り付けられたことを検出した旨を示す信号Ｓ１２２、または取り付けられていない旨を示す信号Ｓ１２２をＣＰＵ１９に出力する。
また、装置本体部１００から三脚２０が取り外されると、詳細には装置本体部１００から三脚ネジ２１が取り外されると、図４に示すように、接片１２１ｂはそれ自身の弾性により接片１２１ｃから離れて非導通状態となる。
【００３１】
図６は、図１に示したカメラ装置の検出部の第２具体例を説明するための断面図である。図７は、図６に示した検出部の動作を説明するための図である。
【００３２】
また、検出部１２の三脚検出スイッチ１２１は、例えば図６に示すように、ネジ穴１２０の側面部にＬ形状の可動部１２１ｄと、ばね性を有する一対の接片１２１ｂ，１２１ｃを備えてもよい。
【００３３】
例えば、三脚２０が取り付けられていない状態では、図６に示すように接片１２１ｂ，１２１ｃとが非導通状態となっている。
カメラ装置１の装置本体部１００を固定するために、装置本体部１００に三脚２０を取り付ける際に、例えば図７に示すように、三脚２０の三脚ネジ２１が装置本体部１００のネジ穴１２０に螺合されると、可動部１２１ａは接片１２１ｂの付勢に抗して、三脚ネジ２１にネジ穴１２０の側面に垂直方向に沿って移動し、接片１２１ｂ，１２１ｃを短絡させる（導通状態）。
【００３４】
また、装置本体部１００から三脚２０が取り外されると、詳細には装置本体部１００から三脚ネジ２１が取り外されると、図６に示すように、接片１２１ｂはそれ自身の弾性により接片１２１ｃから離れて非導通状態となる。
【００３５】
第２具体例に係る検出部１２は側面部に可動部１２１ｄを設けたので、図４，５に示した第１具体例に係る検出部１２と比べて、より早く三脚２０の取り付けを検出することができる。
【００３６】
電源回路１３は、例えばＣＰＵ１９の制御により、カメラ装置１の各構成要素に電力となる電圧や電流を供給する。詳細には、例えば電源回路１３は、バッテリや外部電源等に接続され、ＣＰＵ１９の制御により電力供給を行う。
【００３７】
発光部（ストロボ）１４は、例えばＣＰＵ１９の制御により、電源回路１３からの電力供給を受けて、所定のタイミングで発光する。ストロボ１４は、例えば図１に示すように、装置本体部１００の正面部の上部に備えられている。
【００３８】
表示部１５は、ＣＰＵ１９の制御により文字情報や画像等を表示する。
本実施形態に係る表示部１５は、例えば図１〜図３に示すように、モニタ１５１、および文字液晶表示部１５２を有する。
【００３９】
モニタ１５１は、例えばＣＰＵ１９の制御により、撮像部１１により撮像された画像を表示する。例えばモニタ１５１は、撮影モード選択時に撮影モードを選択するための画像や、メニュー画像等を表示する。
モニタ１５１は、例えば液晶表示装置（ＬＣＤ：Liquid Crystal Display）や、有機ＥＬ（Electroluminescence）表示装置等の表示装置により構成される。モニタ１５１は、例えば図３に示すように、装置本体部１００の背面部の略中央部に備えられている。
【００４０】
文字液晶表示部１５２は、例えばＣＰＵ１９の制御により、文字や記号、マーク、画像等を表示する。例えば文字液晶表示部１５２は、撮影モードを選択する際や各種撮影時に選択する際に、選択候補としての文字や記号、マーク等を表示する。
文字液晶表示部１５２は、例えばＬＣＤや有機ＥＬ表示装置等の表示装置により構成される。文字液晶表示部１５２は、例えば図３に示すように、装置本体部１００の上部の略中央部に備えられている。
また、装置本体部１００の背面部の上部には、撮影時に用いられるファインダ、例えば光学ファインダや液晶ファインダが備えられている。
【００４１】
入力部１６は、例えばユーザにより操作され、その操作に応じた信号をＣＰＵ１９に出力する。入力部１６は、例えば複数の撮影モードの選択時に、選択指示を示す信号をＣＰＵ１９に出力する。
【００４２】
入力部１６は、例えば図１に示すように、シャッタボタン１６１、ダイヤルボタン１６２、十字方向ボタン１６３、および決定ボタン１６４を有する。
【００４３】
シャッタボタン１６１は、例えば半押しや全押しなどの操作に応じた内容を示す信号をＣＰＵ１９に出力する。ＣＰＵ１９は、その信号をトリガとして撮影処理を行う。シャッタボタン１６１は、例えば図２に示すように、装置本体部１００の上面部の文字液晶表示部１５２の左側近傍に備えられている。
【００４４】
ダイヤルボタン１６２は、例えば撮影モードや撮影条件を設定する際に操作され、その操作に応じた内容を示す信号をＣＰＵ１９に出力する。ダイヤルボタン１６２は、例えば図２に示すように、装置本体部１００の上面部の文字液晶表示部１５２の左側近傍に備えられている。
【００４５】
十字方向ボタン１６３は、例えば撮影モードや撮影条件を設定する際に操作され、その操作に応じた内容を示す信号をＣＰＵ１９に出力する。十字方向ボタン１６３は、例えば図２に示すように、装置本体部１００の背面部の、モニタ１５１の近傍に備えられている。
【００４６】
決定ボタン１６４は、例えば選択された撮影モードや撮影条件を決定する際に操作され、その操作に応じた内容を示す信号をＣＰＵ１９に出力する。ダイヤルボタン１６２は、例えば図２に示すように、十字方向ボタン１６３の近傍に備えられている。
【００４７】
記録部１７は、ＣＰＵ１９の制御により撮影された画像を記録する。また、記録部１７は、ＣＰＵ１９の制御により撮影された画像を読み出してＣＰＵ１９に出力する。記録部１７は、例えば半導体メモリや光ディスクや光磁気ディスク等の着脱可能な記録媒体を備えてもよい。
【００４８】
メモリ１８は、ＣＰＵ１９の制御により、ワークスペースとして用いられる。また、メモリ１８は、本発明に係る機能を有するプログラムＰＲＧや、初期設定情報等のデータを記憶する。メモリ１８は例えばＲＡＭ（Random Access Memory）やＲＯＭ（Read only memory）等により構成される。
【００４９】
制御回路（ＣＰＵ）１９は、装置全体を統括的に制御し、本発明に係る処理を行う。ＣＰＵ１９は、例えばプログラムＰＲＧを実行することにより本発明に係る機能を実現する。
【００５０】
図８は、図１に示したカメラ装置１の動作の一具体例を説明するためのフローチャートである。図８を参照しながら、カメラ装置１の動作を、ＣＰＵ１９の動作を中心に説明する。
【００５１】
例えば初期状態として、三脚２０がカメラ装置１の装置本体部１００に取り付けられていない状態、非固定状態である。
ステップＳＴ１において、ＣＰＵ１９は、検出部１２により、装置本体部１００が固定されうる状態にあるか否か、詳細には三脚２０が取り付けられか否か、より具体的には三脚ネジ２１がネジ穴１２０に取り付けられたか否かを判別する。ＣＰＵ１９は取り付けられていないと判別した場合には、通常撮影モードに設定し、ステップＳＴ６の処理に進み、撮影処理を行う。
【００５２】
ＣＰＵ１９は、例えば、検出部１２により装置本体部が固定されうる状態であることを検出した場合に、詳細には、装置本体部１００に三脚２０が取り付けられたと判別した場合に、予め設定された複数の撮影モードのうち前記固定されたときに最適な撮影モードを選択可能に設定し、選択指示に応じて撮像モードを決定する。
【００５３】
具体的には、ステップＳＴ２において、カメラ装置１の装置本体部１００を固定するために、装置本体部１００に三脚２０を取り付ける際に、例えば図５に示すように、三脚２０の三脚ネジ２１が装置本体部１００のネジ穴１２０に螺合され、可動部１２１ａが接片１２１ｂの付勢に抗して、三脚ネジ２１により押し上げられ、接片１２１ｂ，１２１ｃが短絡すると、検出回路１２２は三脚２０が取り付けられた旨を示す信号Ｓ１２２をＣＰＵ１９に出力する。
【００５４】
ＣＰＵ１９は、その信号Ｓ１２２が入力されると、ドライブモードに切り替えて、予め設定された複数の撮影モード、例えば通常撮影モード、連写撮影モード、タイマー撮影モード、ブラケッティング撮影モード、リモコン撮影モード等のうちいずれかの撮影モードを選択可能に設定する。
具体的には、ＣＰＵ１９はその複数の撮影モードを選択させる操作画像を、モニタ１５１や文字液晶表示部１５２に表示させ、選択指示を受け付ける（ＳＴ３）。
【００５５】
ＣＰＵ１９は、例えばユーザの操作に応じて入力部１６のシャッタボタン１６１やダイヤルボタン１６２から出力された選択指示を示す信号を受けて、その信号に応じて撮影モードを決定する。
例えば、シャッタボタン１６１やダイヤルボタン１６２が操作されると、通常撮影モード，連写モード，ブラケッティング連写モード（露出を少しずつ変えながら連続で複数枚撮影する撮影モード）、セルフタイマーモード，レリーズリモコン撮影モードなどのように切り替わる。
その際、ＣＰＵ１９は、モニタ１５１、文字液晶表示部１５２の少なくとも一方にその情報を表示する。
【００５６】
ＣＰＵ１９は、撮影モードが決定されたか否かを判別し、詳細には入力部１６の決定ボタン１６４により選択指示を示す信号を受信した否かを判別する（ＳＴ５）。決定していない場合にはステップＳＴ２の処理に戻り、決定したと判別した場合には、ドライブモードを解除して、その選択指示に応じて実際の撮影モードを決定し、ステップＳＴ６の処理に進む。
【００５７】
例えばステップＳＴ５の前に、ＣＰＵ１９は、入力部１６のシャッタボタン１６１が操作されたか否かを判別し、操作されたと判別した場合には、ドライブモードを解除して、その選択指示に応じて実際の撮影モードを決定し、ステップＳＴ６の処理に進んでもよい。こうすることで、ドライブモードから短時間に撮影可能な状態に移行することができる。
【００５８】
ステップＳＴ６において、ＣＰＵ１９は、例えば入力部１６のシャッタボタン１６１から入力される信号に基づいて、設定された撮影モードに応じた撮影処理を行う。
【００５９】
以上、説明したように、本実施形態に係るカメラ装置１では、装置本体部１００が固定されたか否か、詳細には装置本体部１００に三脚２０が取り付けられたか否かを検出する検出部１２と、検出部１２により装置本体部１００が固定されたことを検出した場合に、予め設定された複数の撮影モードのうち固定されたときに最適な撮影モードを選択可能に設定し、選択指示に応じて撮像モードを決定するＣＰＵ１９とを設けたので、カメラ装置を固定した場合に煩雑な操作を行うことなく、固定時に最適な撮像モードを短時間で設定することができる。
【００６０】
また、例えば一般的なカメラ装置では、三脚を使わないときは使用頻度が低いためコンパクトカメラではドライブモードに即座に切り替わるボタンやスイッチは備え付けていない場合があり、各種設定の下の階層にある場合が多く、即座にドライブモードに切り替わらず、シャッターチャンスを逃すことが多いが、本発明に係るカメラ装置１は、三脚２０の三脚ネジ２１を検出したことをトリガとしてドライブモードに切り替えるので、すばやく撮影モードを設定でき、撮影タイミングを逃すことが低減する。
【００６１】
〔第２実施形態〕
本発明の第２実施形態に係るカメラ装置１ａは、第１実施形態に係るカメラ装置１と略同じ構成であり、例えば図１に示すように、撮像部１１、検出部１２、電源回路１３、ストロボ１４、表示部１５、入力部１６、記録部１７、メモリ１８、およびＣＰＵ１９を有する。
第１および第２実施形態の相違点のみ説明し、同じ構成や動作については説明を省略する。
【００６２】
本実施形態に係るＣＰＵ１９は、例えば通常時に、設定時間内に指示入力がないときは省電力制御を行う（いわゆるオートパワーオフ機能やスタンバイ機能）。
具体的は、ＣＰＵ１９は、設定時間内、例えば数分から数十秒程度、入力部１６から指示入力を示す信号入力されない場合には、電源回路１３に省電力制御を行わせる。
省電力制御は、例えば撮像部１１、ストロボ１４、表示部１５、ＣＰＵ１９等の構成要素に供給する電流や電圧等を低減または抑止する。
【００６３】
その際、ＣＰＵ１９は、検出部１２により三脚２０が取り付けられたことを検出した場合には、当該設定時間を減少させる、または当該省電力制御を抑止する。
【００６４】
図９は、本発明の第２実施形態に係るカメラ装置１ａの動作を説明するためのフローチャートである。カメラ装置１ａの動作を、図９を参照しながら、ＣＰＵ１９の動作の一具体例を中心に説明する。
【００６５】
ステップＳＴ１１において、通常モード時では、カメラ装置１ａの装置本体部１００に三脚２０が取り付けられていない状態である。
【００６６】
ステップＳＴ１２において、ＣＰＵ１９は、検出部１２により三脚２０が取り付けられたか否かを判別し、詳細には上述したように三脚検出スイッチ１２１および検出回路１２２により、三脚２０の三脚ネジ２１が検出されたか否かを判別する。
【００６７】
ステップＳＴ１２の判別において、ＣＰＵ１９は、検出部１２により三脚２０が取り付けられたことを検出した場合には、省電力制御を抑止して、ステップＳＴ１１の処理に戻り、通常モード時の処理を行う。
【００６８】
一方、ステップＳＴ１２の判別において、ＣＰＵ１９は、検出部１２により三脚２０が取り付けられていないと判別した場合には、設定時間、指示入力があるか否かを判別し（ＳＴ１３）、指示入力がないと判別した場合には、省電力制御、例えば電源をオフ状態に設定する。
一方、ステップＳＴ１３において、ＣＰＵ１９は、設定時間内に指示入力があった場合には、ステップＳＴ１１の処理に戻る。
【００６９】
以上、説明したように、本実施形態に係るＣＰＵ１９は、設定時間内に指示入力がないときは省電力制御を行い、検出部１２により三脚２０が取り付けられたことを検出した場合には、当該設定時間を減少させる、または当該省電力制御を抑止するので、例えば、通常モード時にはオートパワーオフ機能やスタンバイ機能により省電力制御を行い、三脚ネジ２１を検出している間は、オートパワーオフ機能やスタンバイ機能を抑止することができる。
こうすることにより、例えば三脚取り付け時に、フレーミングを決めている途中で電源がオフ状態に移行したり、スタンバイモードに移行してリモコン操作の受け付けが遅れ、大切な場面を撮り逃すことが低減する。
【００７０】
〔第３実施形態〕
図１０は、本発明の第３実施形態に係るカメラ装置１ｂのネジ穴付近を拡大した斜視図である。図１１は、図１０に示したカメラ装置のネジ穴付近の断面図である。
【００７１】
第３実施形態に係るカメラ装置１ｂは、図１に示した第１実施形態に係るカメラ装置１の各構成要素と略同様の構成要素である。
第１実施形態と第３実施形態との相違点を説明し、同一の機能や動作については説明を省略する。
【００７２】
カメラ装置１ｂは、三脚の取り付けネジが螺合可能な螺合部（ネジ穴１２０）と、螺合部を回転駆動する回転駆動部を有する。
詳細には、例えば図１０，１１に示すように、三脚２０の取り付けネジ（三脚ネジ）が螺合可能なネジ穴１２０が内部に形成された回転部２２０と、回転部２２０の歯車２２０ａが噛合した伝達歯車２３０と、その伝達歯車２３０に噛合したロータ２４０を回転駆動する駆動モータ２５０とを有する。
【００７３】
ここで、回転部２２０および伝達歯車２３０は、装置本体部１００に回転自在に保持されている。
また、回転部２２０のネジ穴１２０の奥に凸形状の可動部１２１ａと、ばね性を有する一対の接片１２１ｂ，１２１ｃが備えられている。
【００７４】
ＣＰＵ１９は、駆動モータ２５０に駆動制御信号Ｓ２５０を出力して、駆動モータ２５０がその駆動制御信号Ｓ２５０に応じて駆動し、ロータ２４０，伝達歯車２３０を介して回転部２２０が回転して、回転部２２０の回転方向、回転角度、および回転速度を制御する。
【００７５】
また、ＣＰＵ１９は、検出部１２によりネジ穴１２０に三脚２０の三脚ネジ２１が螺合したか否かを検出し、その検出結果に基づいて、駆動モータ２５０を駆動制御する。
【００７６】
具体的には、ＣＰＵ１９は、例えば入力部１６から回転開始指示を示す信号が入力されると、回転部２２０のネジ穴１２０を取り付け方向に回転させる駆動制御信号Ｓ２５０を駆動モータ２５０に出力し、駆動モータ２５０がその駆動制御信号Ｓ２５０に応じて駆動し、ロータ２４０，伝達歯車２３０を介して回転部２２０が回転する。
【００７７】
三脚ネジ２１がネジ穴１２０に螺合して、自動的にネジが締まって三脚が取り付けられる。
そして可動部１２１ａは接片１２１ｂの付勢に抗して、三脚ネジ２１により押し上げられ、接片１２１ｂ，１２１ｃを短絡させる（導通状態）と、ＣＰＵ１９は、駆動モータ２５０の回転を抑止する信号Ｓ２５０を出力する、または駆動信号の出力を停止して、回転部２２０の回転を停止させる。
こうすることによりカメラ装置１の装置本体部１００、もしくは三脚側を回転する必要がなく取り付けへの煩わしさを低減することができる。また取り付け時間を短縮することができる。
【００７８】
また、三脚取付時に、ＣＰＵ１９は、例えば入力部１６から、三脚取り外し開始指示を示す信号が入力された場合には、回転部２２０のネジ穴１２０を取り外し方向に回転させる駆動制御信号Ｓ２５０を駆動モータ２５０に出力し、駆動モータ２５０がその駆動制御信号Ｓ２５０に応じて駆動し、ロータ２４０，伝達歯車２３０を介して回転部２２０が回転する。
三脚ネジ２１から取り外されて、ＣＰＵ１９は、設定時間経過後、駆動モータ２５０の回転を抑止する信号Ｓ２５０を出力する、または駆動信号の出力を停止して、回転部２２０の回転を停止させる。
こうすることにより、カメラ装置１の装置本体部１００、もしくは三脚側を回転する必要がなく、取り外しの煩わしさを低減することができる。また取り外し時間を短縮することができる。
【００７９】
〔第４実施形態〕
一般的にパノラマ撮影や流し撮りでは三脚を用いて上下方向は固定して水平方向を振りながら撮影する。
しかし、三脚を動かすために上下方向にブレが生じる場合がある。このブレによりきれいなパノラマ写真を撮影することが困難な場合がある。
【００８０】
図１２，１３は、本発明の第４実施形態に係るカメラ装置１ｃの動作を説明するための概念図である。図１４は、本発明の第４実施形態に係るカメラ装置１ｃの機能ブロック図である。図１４において、第１〜３実施形態に係るカメラ装置と同じ構成要素は一部省略している。第１〜第３実施形態と、第４実施形態との相違点のみ説明する。
【００８１】
本実施形態に係るカメラ装置１ｃは、三脚２０が取り付けられた状態で駆動モータ２５０により回転制御を行い、三脚２０の三脚座２３が固定されている場合、例えば図１２，１３に示すように、カメラ装置が回転部２２０を回転中心として回転する。
【００８２】
例えば、ＣＰＵ１９は、検出部１２により三脚２０が取り付けられたことを検出し、かつ入力部１６から回転撮影モード（例えばパノラマモード）を示す信号Ｓ１６が入力された場合に、駆動モータ２５０を駆動制御して撮影処理を行う。
回転撮影モード時には、ＣＰＵ１９は、例えば、撮像部１１からの画像情報Ｓ１１、およびレンズ画角情報ＤＡに基づいて、駆動モータ２５０を回転駆動して、パノラマ写真を撮影する。
【００８３】
図１５，図１６は、本発明の第４実施形態に係るカメラ装置１ｃの動作を説明するための図である。例えばパノラマ撮影モード時のカメラ装置１ｃの動作を、図１５，１６を参照しながら説明する。
【００８４】
ＣＰＵ１９は、パノラマ撮影モード時、例えば図１５に示すように、装置本体部１００が第１回転角度位置（Ａ）で撮影を行い、図１６（Ａ）に示すような画像情報Ｓ１１（Ｓ１１Ａ）を得て、記録部１７に記録する。
次に、ＣＰＵ１９は、画像情報Ｓ１１（Ｓ１１Ａ）の端部（例えば右方向に回転撮影する場合には右端部）の画像情報と、予め設定されたレンズの画角情報ＤＡに基づいて、パノラマ写真を得ることができる第２回転角度位置（Ｂ）を演算し、その演算の結果に基づいて駆動モータ２５０を回動駆動して、図１５に示すように第２回転角度位置（Ｂ）のときに駆動モータ２５０に停止指示を示す駆動制御信号Ｓ２５０を出力する。
ＣＰＵ１９は、装置本体部１００が第２回転角度位置（Ｂ）のときに、自動的に撮影を行い、図１６（Ｂ）に示すような画像情報Ｓ１１（Ｓ１１Ｂ）を得て、記録部１７に記録する。
ＣＰＵ１９は、画像情報Ｓ１１Ａと画像情報Ｓ１１Ｂとを合成することにより、不連続な部分のない、連続した一枚のパノラマ写真を生成して記録部１７に記録する。
【００８５】
また、例えばＣＰＵ１９は、第１回転位置（Ａ）での画像情報Ｓ１１Ａの端部と、第２回転位置での画像情報Ｓ１１Ｂの反対側の端部が一致するように、駆動モータ２５０を回転駆動制御してもよい。
【００８６】
写真合成時には、ＣＰＵ１９は、レンズ画角情報ＤＡと、駆動モータ２５０の回転角度を示す情報とに基づいて、２つの画像を合成して、不連続な部分のない、連続した一枚のパノラマ写真を生成してもよい。
【００８７】
以上、説明したように、本実施形態に係るカメラ装置１ｃでは、例えば三脚２０が取り付けられ三脚２０が固定されている状態で、駆動モータ２５０により回転制御を行い、カメラ装置が回転しながら撮影処理を行うので、例えば手動で回転撮影を行うのに比べてぶれが低減して、高画質のパノラマ写真を得ることができる。
また、ＣＰＵ１９は、三脚により固定時に、画角情報ＤＡや撮像部１１により撮影された画像情報Ｓ１１とレンズ画角情報ＤＡに基づいて駆動モータ２５０を回転駆動制御して装置本体部１００を回転させてパノラマ撮影を行うので、煩雑な操作を行うことなく、高画質のパノラマ写真を得ることができる。
【００８８】
〔第５実施形態〕
図１７は、本発明の第５実施形態に係るカメラ装置１ｄの機能ブロック図である。図１７において、第１〜４実施形態に係るカメラ装置と同じ構成要素は一部省略している。第１〜第４実施形態と、第５実施形態との相違点のみ説明する。
【００８９】
例えばＣＰＵ１９は、検出部１２により三脚２０が取り付けられたことを検出し、かつ入力部１６から回転撮影モード（例えば流し撮りモード）を示す信号Ｓ１６が入力された場合に、駆動モータ２５０を駆動制御して撮影処理を行う。
【００９０】
例えば、装置本体部１００が三脚に取り付けられて固定された状態で、流し撮りモード時には、ＣＰＵ１９は、例えば撮像部１１から出力された画像に基づいて画像認識処理を行い、移動する被写体のスピードを演算して、演算結果を示す被写体情報（ＳＡ）に応じて駆動モータ２５０の回転制御を行い、例えば被写体が略画像中心となるように装置本体部１００を回転制御して、撮影処理を行う。
こうすることにより、例えば移動する被写体を撮影する際にも、被写体が略画像中心の写真を得ることができる。
【００９１】
〔第６実施形態〕
図１８は、本発明の第６実施形態に係るカメラ装置１ｅの機能ブロック図である。
第１〜第５実施形態と、第６実施形態との相違点のみ説明する。
本実施形態に係るカメラ装置１は、例えば図１に示すように、撮像部１１、検出部１２、電源回路１３、発光部（ストロボ）１４、表示部１５、入力部１６、記録部１７、メモリ１８、ＣＰＵ１９、および付加装置検出部３０を有する。
【００９２】
付加装置検出部３０は、付加装置、例えばカメラ装置に付加するコンバージョンレンズ用アダプタ等の装置を、カメラ装置本体部に取り付けられたか否かを検出し、検出の結果を示す信号Ｓ３０をＣＰＵ１９に出力する。
ＣＰＵ１９は、付加装置検出部３０および検出部１２の検出結果に基づいて、付加装置が取り付けられたときに最適な撮影モードに設定する。
【００９３】
図１９は、本発明の第６実施形態に係るカメラ装置１ｅに取り付けられる付加装置の概念図である。
本実施形態に係る付加装置４０は、例えば図１９に示すように、コンバージョンレンズ４１、コンバージョンレンズ４１の取り付け用のステイとしてのアダプタ４２を有する。
【００９４】
アダプタ４２には、例えば図１９に示すように、例えばカメラ装置１のネジ穴（螺合部）１２０に螺合するネジ４２１と、凸形状の被検出部４２２、およびコンバージョンレンズ４１を取り付ける取付部４２３が設けられている。
【００９５】
図２０は、図１８に示した本発明の第６実施形態に係るカメラ装置１ｅの付加装置検出部付近を拡大した断面図である。
カメラ装置１ｅと、図１０，図１１に示した第３実施形態に係るカメラ装置１ｂとの相違点のみ説明する。同一の構成要素については同じ符号を付して説明を省略する。
カメラ装置１ｅは、図１９，２０に示すように、装置本体部１００の底面部の検出部１２の回転部２２０の近傍に、付加装置検出部３０を備える。
【００９６】
付加装置検出部３０は、例えば図２０に示すように、検出スイッチ３１、検出回路３２、および可動部３３を有する。
例えば図２０に示すように、装置本体部１００の底面部のネジ穴１２０付近に設けられた凹部には、凸形状の可動部３３と、ばね性を有する一対の接片３１ｂ，３１ｃが備えられている。接片３１ｂ，３１ｃの一端部は、検出回路３２に接続され、検出回路３２はＣＰＵ１９に接続されている。接片３１ｂ，３１ｃは、検出スイッチ３１の一例である。
【００９７】
例えば、アダプタ４２が取り付けられていない状態では、図２０に示すように接片３１ｂ，３１ｃとが非導通状態となっている。
図２１は、図２０に示した付加装置検出部の動作を説明するための図である。
【００９８】
装置本体部１００にアダプタ４２を取り付ける際に、例えば図２１に示すように、アダプタ４２のネジ４２１が装置本体部１００の回転部２２０のネジ穴１２０に螺合される。この際、上述したように回転部２２０が駆動モータ２５０により回転駆動してネジ４２１とネジ穴１２０が螺合する。
可動部３３は、接片３１ｂの付勢に抗して、被検出部４２２により押し上げられ、接片３１ｂ，３１ｃを短絡させる（導通状態）。
【００９９】
検出回路３２は、接片３１ｂ，３１ｃの導通状態および非導通状態により、アダプタ４２が取り付けられたことを検出した旨を示す信号Ｓ３０、または取り付けれていない旨を示す信号Ｓ３０をＣＰＵ１９に出力する。
ＣＰＵ１９は、付加装置検出部３０の検出回路３２から出力された信号Ｓ３０に基づいて、コンバージョンレンズが装着されたときに最適な撮影モードに設定する。
例えば、ＣＰＵ１９は、その付加装置４０のアダプタ４２の検出により、例えばレンズ位置を望遠端や広角端に設定する。
【０１００】
上述したように、本実施形態では、付加装置４０のアダプタ側に予め備えられた被検出部４２２を検出する付加装置検出部３０を設け、ＣＰＵ１９は、付加装置検出部３０および検出部１２の検出結果に基づいて、付加装置４０が取り付けられたときに最適な撮影モードに設定することができ、煩雑な操作を行うことなく、自動的に最適な撮影モードに設定することができる。
【０１０１】
また、例えば電動ズームレンズを搭載するカメラ装置の場合、コンバージョンレンズ用アダプタをカメラ装置が自動的に認識することにより、レンズを望遠側に自動的に移動させることができる。このため望遠端用のコンバージョンレンズを装着してからカメラの設定を変更する必要がなくなり、煩わしさ、時間的ロスがなくなり、シャッターチャンスを逃すことがない。
【０１０２】
つまり、三脚ネジの取り付けを検出するスイッチの近傍に、付加装置検出部３０を設けることにより三脚ネジを利用したコンバージョンレンズ用のアダプタを取り付けたときにカメラが自動的にその付加装置に適した設定に変更することができ、設定変更に伴う煩わしさが無く、撮影機会を損なわないで撮影することができる。
【０１０３】
〔第７実施形態〕
図２２は、本発明の第７実施形態に係るカメラ装置１ｆを説明するための図である。図２３は、図２２に示したカメラ装置１ｆの動作を説明するための図である。
【０１０４】
第６実施形態と第７実施形態との相違点を説明する。同一の機能や動作については同一の符号を付して説明を省略する。
【０１０５】
カメラ装置１ｆは、例えば図２２，２３に示すように付加装置検出部３０として、可動部３３の替わりに、端子３４を有する。
端子３４は、例えば複数個の端子３４ａ〜ｄが形成されており、付加装置４０のアダプタ側とデータ通信を行うことができる。
例えば図２２に示すように付加装置４０としてストロボのステイなどに通信用端子４４（４４ａ〜４４ｄ）を設けることにより、調光、シンクロ等の情報を、カメラ装置１ｆと付加装置４０間でデータ通信を行うことができる。
【０１０６】
以上、説明したように、三脚ネジの取り付けを検出するスイッチの近傍に付加装置検出部３０を設け、例えば付加装置４０としてストロボのステイを取り付けたときにカメラが自動的にその付加装置４０に適した設定を自動的に変更することができ、設定変更に伴う煩わしさがなく、撮影機会を損なわないで撮影できる。
【０１０７】
なお、本発明は本実施形態に限られるものではなく、任意好適な改変が可能である。
例えば、形状や動作の手順は、上述した形態に限られるものではない。
また、各実施形態を組み合わせてもよい。また各実施形態を独立に実現してもよい。
【産業上の利用可能性】
【０１０８】
本発明は、例えば装置本体部に三脚を取り付ける等により装置本体部を固定可能なカメラ装置に適用できる。
【図面の簡単な説明】
【０１０９】
【図１】本発明の第１実施形態に係るカメラ装置の機能ブロック図である。
【図２】図１に示したカメラ装置の前方からの斜視図である。
【図３】図２に示したカメラ装置の後方からの斜視図である。
【図４】図１に示したカメラ装置の検出部の第１具体例を説明するための断面図である。
【図５】図４に示した検出部の動作を説明するための図である。
【図６】図１に示したカメラ装置の検出部の第２具体例を説明するための断面図である。
【図７】図６に示した検出部の動作を説明するための図である。
【図８】図１に示したカメラ装置１の動作の一具体例を説明するためのフローチャートである。
【図９】本発明の第２実施形態に係るカメラ装置１ａの動作を説明するためのフローチャートである。
【図１０】本発明の第３実施形態に係るカメラ装置１ｂのネジ穴付近を拡大した斜視図である。
【図１１】図１０に示したカメラ装置のネジ穴付近の断面図である。
【図１２】本発明の第４実施形態に係るカメラ装置１ｃの動作を説明するための概念図である。
【図１３】本発明の第４実施形態に係るカメラ装置１ｃの動作を説明するための概念図である。
【図１４】本発明の第４実施形態に係るカメラ装置１ｃの機能ブロック図である。
【図１５】本発明の第４実施形態に係るカメラ装置１ｃの動作を説明するための図である。
【図１６】本発明の第４実施形態に係るカメラ装置１ｃの動作を説明するための図である。
【図１７】本発明の第５実施形態に係るカメラ装置１ｄの機能ブロック図である。
【図１８】本発明の第６実施形態に係るカメラ装置１ｅの機能ブロック図である。
【図１９】本発明の第６実施形態に係るカメラ装置１ｅに取り付けられる付加装置の概念図である。
【図２０】図１８に示した本発明の第６実施形態に係るカメラ装置１ｅの付加装置検出部付近を拡大した断面図である。
【図２１】図２０に示した付加装置検出部の動作を説明するための図である。
【図２２】本発明の第７実施形態に係るカメラ装置１ｆを説明するための図である。
【図２３】図２２に示したカメラ装置１ｆの動作を説明するための図である。
【符号の説明】
【０１１０】
１，１ａ〜１ｆ…カメラ装置、１１…撮像部、１２…検出部、１３…電源回路、１４…発光部（ストロボ）、１５…表示部、１６…入力部、１７…記録部、１８…メモリ、１９…制御回路（ＣＰＵ）、２０…三脚、２１…取り付け用ネジ（三脚ネジ）、３０…付加装置検出部、３１…検出スイッチ、３２…検出回路、３３…可動部、３４…端子、４０…付加装置、４１…コンバージョンレンズ、４２…アダプタ、１００…装置本体部、１１１…撮像レンズ、１１２…アイリス、１１３…ＣＣＤ、１１４…信号処理部、１１５…レンズ駆動部、１１６…アイリス駆動部、１１７…測距部、１１８…測光部、１１９…露光制御部、１２０…ネジ穴（螺合部）、１２１…三脚検出スイッチ、１２１ａ…可動部、１２１ｂ，１２１ｃ…接片、１２２…検出回路、１５１…モニタ、１５２…文字液晶表示部、１６１…シャッタボタン、１６２…ダイヤルボタン、１６３…十字方向ボタン、１６４…決定ボタン、２２０…回転部、２３０…伝達歯車、２４０…ロータ、２５０…駆動モータ。
【図１】
2006053382.tif 000003
【図２】
2006053382.tif 000004
【図３】
2006053382.tif 000005
【図４】
2006053382.tif 000006
【図５】
2006053382.tif 000007
【図６】
2006053382.tif 000008
【図７】
2006053382.tif 000009
【図８】
2006053382.tif 000010
【図９】
2006053382.tif 000011
【図１０】
2006053382.tif 000012
【図１１】
2006053382.tif 000013
【図１２】
2006053382.tif 000014
【図１３】
2006053382.tif 000015
【図１４】
2006053382.tif 000016
【図１５】
2006053382.tif 000017
【図１６】
2006053382.tif 000018
【図１７】
2006053382.tif 000019
【図１８】
2006053382.tif 000020
【図１９】
2006053382.tif 000021
【図２０】
2006053382.tif 000022
【図２１】
2006053382.tif 000023
【図２２】
2006053382.tif 000024
【図２３】
2006053382.tif 000025